(57)【要約】【課題】キャビテーションの発生を確実に検出するとともに、キャビテーションが発生する状態を解消することができるポンプシステムを提供すること。【解決手段】ポンプシステム５０は、ポンプ５１と、ポンプ５１に駆動力を伝達し、周波数によって回転数が調節される駆動モータ５２と、駆動モータ５２の電流を検出する電流センサ５４と、駆動モータ５２を所定の設定周波数で制御可能な制御部９１と、を備える。制御部９１は、設定周波数で制御される駆動モータ５２の電流を測定した電流センサ５４の測定値を監視し、キャビテーションが生じていない定常状態の電流値に基づいて設定される閾値を超えた電流の振れを検出すると、設定周波数よりも低い周波数で駆動モータ５２の制御を行う。そして、下限周波数まで周波数が低下すると、制御部９１は、キャビテーションの発生を表示部９３によって報知する。【選択図】図２
2016183609.tif 000002
【特許請求の範囲】
【請求項１】
ポンプと、
前記ポンプに駆動力を伝達し、周波数によって回転数が調節される駆動モータと、
前記駆動モータの電流を検出する電流センサと、
前記駆動モータを所定の設定周波数で制御可能な制御部と、
を備え、
前記制御部は、
前記設定周波数で制御される前記駆動モータの電流を測定した前記電流センサの測定値を監視し、キャビテーションが生じていない定常状態の電流値に基づいて設定される閾値を超えた電流の振れを検出すると、前記設定周波数よりも低い周波数で前記駆動モータの制御を行うポンプシステム。
【請求項２】
前記制御部は、
前記閾値を超える電流の振れを検出した場合は、予め設定される所定範囲に電流の振れが収束することを検出するまで、前記駆動モータの周波数を前記設定周波数から徐々に低下させていく制御を行う請求項１に記載のポンプシステム。
【請求項３】
前記制御部は、
前記閾値を超える電流の振れを検出した場合は、予め設定される下限周波数を下回ることがないように周波数を低下させる請求項１又は２に記載のポンプシステム。
【請求項４】
キャビテーション情報を報知する報知部を備え、
前記制御部は、
前記閾値を超える電流の振れを検出した場合において、予め設定される警告周波数まで周波数が低下すると前記報知部を作動させてキャビテーションの発生を報知する請求項１から３までの何れかに記載のポンプシステム。
【発明の詳細な説明】
【技術分野】
【０００１】
本発明は、周波数で制御される駆動モータによってポンプが駆動されるポンプシステムに関する。
【背景技術】
【０００２】
設備に水を供給するためのポンプシステムにおいて、流量や圧力損失の変動等によってポンプの内部でキャビテーションが生じ、供給先への給水量が安定しなくなることがある。キャビテーションを原因とした給水不良を防止する方法を開示するものとして、例えば、特許文献１がある。特許文献１には、ボイラの内部圧力の変化に応じてポンプの吐出量を調整し、キャビテーションの発生を抑制するポンプシステムが開示されている。
【先行技術文献】
【特許文献】
【０００３】
【特許文献１】特開２０１４−１０５８８０号公報
【発明の概要】
【発明が解決しようとする課題】
【０００４】
ところで、ポンプの上流側に設けられるストレーナに目詰まりが生じてポンプの入口圧力が低下し、キャビテーションが発生する場合がある。この点、特許文献１に開示される方法では、給水先であるボイラの缶体の内部圧力の変化には対応できるものの、ポンプの上流側で生じる圧力損失の変動を原因としたキャビテーションの発生を防止することは困難であった。また、キャビテーションが発生した状態でポンプが駆動され続けると、ポンプの損傷にもつながることになり、キャビテーションが生じる状態を速やかに解消することが好ましい。
【０００５】
本発明は、キャビテーションの発生を確実に検出するとともに、キャビテーションが発生する状態を解消することができるポンプシステムを提供することを目的とする。
【課題を解決するための手段】
【０００６】
本発明は、ポンプと、前記ポンプに駆動力を伝達し、周波数によって回転数が調節される駆動モータと、前記駆動モータの電流を検出する電流センサと、前記駆動モータを所定の設定周波数で制御可能な制御部と、を備え、前記制御部は、前記設定周波数で制御される前記駆動モータの電流を測定した前記電流センサの測定値を監視し、キャビテーションが生じていない定常状態の電流値に基づいて設定される閾値を超えた電流の振れを検出すると、前記設定周波数よりも低い周波数で前記駆動モータの制御を行うポンプシステムに関する。
【０００７】
前記制御部は、前記閾値を超える電流の振れを検出した場合は、予め設定される所定範囲に電流の振れが収束することを検出するまで、前記駆動モータの周波数を前記設定周波数から徐々に低下させていく制御を行うことが好ましい。
【０００８】
前記制御部は、前記閾値を超える電流の振れを検出した場合は、予め設定される下限周波数を下回ることがないように周波数を低下させることが好ましい。
【０００９】
前記ポンプシステムは、キャビテーション情報を報知する報知部を更に備え、前記制御部は、前記閾値を超える電流の振れを検出した場合において、予め設定される警告周波数まで周波数が低下すると前記報知部を作動させてキャビテーションの発生を報知することが好ましい。
【発明の効果】
【００１０】
本発明のポンプシステムによれば、キャビテーションの発生を確実に検出するとともに、キャビテーションが発生する状態を解消することができる。
【図面の簡単な説明】
【００１１】
【図１】本実施形態のポンプシステムが適用されるボイラシステムの概略図である。
【図２】キャビテーションの検出及び設定周波数を低下させる制御の流れを示すフローチャートである。
【発明を実施するための形態】
【００１２】
以下、本発明のポンプシステムの好ましい一実施形態について、図面を参照しながら説明する。本実施形態のポンプシステム５０は、ボイラシステム１に適用されるものであり、ボイラ１０の給水に用いられる。なお、本明細書における「ライン」とは、流路、経路、管路等の流体の流通が可能なラインの総称である。また、各ラインに配置され、経路の開閉を行うバルブ等の構成についても省略することがある。
【００１３】
図１は、本実施形態のポンプシステム５０が適用されるボイラシステム１の概略図である。本実施形態のボイラシステム１は、負荷機器１００に蒸気を供給し、負荷機器１００での蒸気の使用によって生じたドレンを大気に開放することなく回収してボイラ１０に給水するクローズド方式である。まず、ボイラシステム１の全体構成について説明する。
【００１４】
図１に示すように、ボイラシステム１は、複数のボイラ１０と、蒸気ヘッダ１１と、ドレンタンク１２と、制御ユニット９０と、ポンプシステム５０と、を主要な構成として備える。また、ボイラシステム１は、ドレン供給ラインＬ１０と、複数のボイラ蒸気ラインＬ１１と、集合蒸気ラインＬ１２と、第１蒸気供給ラインＬ１３と、ドレン回収ラインＬ１４と、第２蒸気供給ラインＬ１５と、を主要なラインとして備える。
【００１５】
ボイラシステム１の各構成と各ラインについて説明する。複数のボイラ１０は、内部に供給された水を燃焼ガスにより加熱して蒸気を生成する。ボイラ１０のそれぞれには、ボイラ蒸気ラインＬ１１が接続されている。複数のボイラ蒸気ラインＬ１１は、それぞれ集合蒸気ラインＬ１２に接続される。
【００１６】
蒸気ヘッダ１１には、各ボイラ１０で生成された蒸気がボイラ蒸気ラインＬ１１及び集合蒸気ラインＬ１２を通じて集められる。蒸気ヘッダ１１に集められた蒸気は、負荷機器１００からの要求に応じて負荷機器１００に供給される。
【００１７】
負荷機器１００は、ボイラ１０で生成された蒸気を熱源として利用し、加熱対象物の直接加熱又は間接加熱を行う。ボイラ１０により生成された蒸気が負荷機器１００で利用されることで凝縮してドレン（凝縮水）が生じる。負荷機器１００で生じたドレンは、ドレン回収ラインＬ１４を通じてドレンタンク１２に回収される。
【００１８】
ドレンタンク１２は、耐圧性を有し密閉可能な圧力容器により構成される。負荷機器１００において熱交換に用いられた蒸気の一部が凝縮して生じるドレンは、大気に開放されることなく高温高圧の状態でドレンタンク１２に回収される。
【００１９】
また、ドレンタンク１２は、第２蒸気供給ラインＬ１５を通じて蒸気ヘッダ１１に接続されている。この第２蒸気供給ラインＬ１５には、圧力調整弁２１が設けられる。第２蒸気供給ラインＬ１５を通じて供給される蒸気によってドレンタンク１２の内部の圧力が調整される。
【００２０】
ドレンタンク１２には、ドレン供給ラインＬ１０の上流側の端部が接続される。ドレン供給ラインＬ１０は、下流側の分岐部３０でボイラ１０の数に応じて分岐しており、各ボイラ１０にそれぞれ接続される。また、本実施形態のボイラシステム１は、オープンタンク（図示省略）によって補給水をドレンタンク１２に供給可能になっている。
【００２１】
ドレン供給ラインＬ１０には、Ｙ型のストレーナ２２が配置される。ストレーナ２２は、ドレン供給ラインＬ１０におけるポンプ５１の一次側に配置される。ストレーナ２２によって、ドレン中の不純物が取り除かれる。
【００２２】
制御ユニット９０は、ボイラシステム１の各種の制御を行うコンピュータである。本実施形態の制御ユニット９０は、後述するポンプシステム５０の制御を行う制御部９１と、各種のプログラム及びデータを記憶する記憶部９２と、報知部としての表示部９３と、を備える。
【００２３】
本実施形態のポンプシステム５０は、ポンプ５１と、駆動モータ５２と、インバータ５３と、電流センサ５４と、制御部９１と、記憶部９２と、表示部９３と、を主要な構成として、ボイラ１０にドレンを供給する。以下、ポンプシステム５０の各構成について説明する。
【００２４】
ポンプ５１は、内部に有するインペラ（図示省略）の回転によって圧力差を生み出し、流体を送り出す圧送手段である。本実施形態では、ポンプ５１は、ドレン供給ラインＬ１０におけるストレーナ２２と分岐部３０の間に配置される。
【００２５】
駆動モータ５２は、ポンプ５１のインペラを回転駆動するための駆動手段である。駆動モータ５２には、インバータ５３が電気的に接続されている。
【００２６】
インバータ５３は、周波数制御によって駆動モータ５２の回転数を調節する。これにより、ポンプ５１の吐出量が調節される。インバータ５３は、制御ユニット９０に電気的に接続されており、制御ユニット９０からの制御信号に基づいて駆動モータ５２を制御する。
【００２７】
電流センサ５４は、駆動モータ５２の駆動電流を測定する。電流センサ５４は、制御ユニット９０に電気的に接続されており、測定情報を制御ユニット９０に送信する。定常状態において、電流センサ５４によって検出される電流値は、設定周波数が固定されている状態では略一定の値になる。ここでいう定常状態とは、キャビテーションが発生していない状態である。
【００２８】
制御部９１は、ボイラ１０からの給水要求に基づいて駆動モータ５２を制御し、ドレンをボイラ１０に供給する制御を行う。本実施形態では、ポンプ５１の発停回数を少なくするため、予め設定される一定の周波数（通常時の設定周波数）で、ポンプ５１の運転が所定時間継続される連続運転を行う。給水が不要な場合は、ポンプ５１の二次側とドレンタンク１２を接続する戻しライン（図示省略）によってドレンタンク１２にドレンを戻すのである。また、ボイラ１０への給水量の調整は、ボイラ側の流量調整弁（図示省略）で行う。
【００２９】
本実施形態では、制御部９１は、ポンプ５１のキャビテーションの発生を検出し、そのキャビテーションを解消するための制御を行う。制御部９１によるキャビテーションの検出について説明する。本実施形態のボイラシステム１の場合、ポンプ５１の上流側に配置されるストレーナ２２に目詰まりが生じることがある。ストレーナ２２に目詰まりが生じると、ポンプ５１の入口圧力が低下して沸点が下がる。これにより、高温のドレンが沸騰状態になってキャビテーションが発生する。
【００３０】
キャビテーションが発生すると、ポンプ５１の内部に気泡が生じ、駆動モータ５２の駆動トルクが変動する。ポンプ５１の内部でのインペラが空回りするような状態となる。このとき、定常状態は略一定の電流値が、上下に振れる挙動を示す。本実施形態では、この電流値の振れを検出することによってキャビテーションの発生を検出する。
【００３１】
制御部９１は、キャビテーションの検出後は、インバータ５３の設定周波数を低くする制御を行う。周波数と回転数は比例関係にあるので、回転数の減少によってポンプ５１の流量が小さくなる。同じ配管系において流量が下がれば圧力損失が下がり、流体の圧力、蒸気圧、流量等によって決まるシステム系の有効ＮＰＳＨ（Ｎｅｔ  Ｐｏｓｉｔｉｖｅ  Ｓｕｃｔｉｏｎ  Ｈｅａｄ）を上げることができる。一般的に、キャビテーションは、システム系の有効ＮＰＳＨが、ポンプ５１の設計等によって決まる要求ＮＰＳＨを下回るときに生じることが知られている（有効ＮＰＳＨ＜要求ＮＰＳＨ）。本実施形態では、制御部９１の周波数制御によって圧力損失を下げることで、有効ＮＰＳＨを要求ＮＰＳＨよりも高くしてキャビテーションを解消しているのである（有効ＮＰＳＨ＞要求ＮＰＳＨ）。なお、本実施形態では、アイドリング制御中は、キャビテーションを検出する制御を行わないように設定されているが、アイドリング制御中でも、キャビテーションの検出を行うようにしてもよい。
【００３２】
記憶部９２は、各種のプログラム及びデータを記憶する。記憶部９２には、ポンプ５１のキャビテーションの影響を抑制するための上述の制御を実行するための各種の情報が記憶される。本実施形態の記憶部９２には、キャビテーションの検出及びその影響を抑制する情報として、判定閾値（閾値）、検出範囲（所定範囲）、下限周波数、警告周波数等が記憶される。
【００３３】
判定閾値は、ポンプ５１でキャビテーションが発生したか否かを判定するための情報である。判定閾値は、ある設定周波数（例えば、６０Ｈｚや５０Ｈｚ）で制御されている状態であって、ポンプ５１にキャビテーションが発生していない状態の電流値に基づいて設定される範囲である。電流値の振れは、ポンプの機種によって異なるため、機種ごとに判定閾値の範囲（振幅）を設定することが好ましい。
【００３４】
制御部９１は、電流値の振れが判定閾値を超えた場合に、キャビテーションが発生していると判定する。判定閾値を超えたか否かの判定は、ポンプシステム５０が適用される設備に応じてその条件を適宜変更できる。例えば、電流センサ５４の測定値が、所定時間内に、判定閾値を超えた上下の振れが所定回数に達した場合に、キャビテーションが発生したと判定するように、判定条件を設定することができる。また、電流センサ５４の測定値が、所定時間内に判定閾値を複数回超えた場合に、キャビテーションが発生していると判定するようにしてもよいし、判定閾値を１回でも超えた場合にキャビテーションが発生していると判定してもよい。このように、キャビテーションが発生したと判定する条件は、電流センサ５４の振れを検出する観点に基づいて、事情に応じて適宜設定することができる。
【００３５】
検出範囲は、キャビテーション検出後において、周波数が低く変更された設定周波数に基づいて設定される電流値の範囲である。検出範囲は、電流センサ５４の測定値が検出範囲に収束したか否かを監視することで、キャビテーションが解消されたか否かを判定するための情報であり、記憶部９２に記憶される。従って、検出範囲は、周波数が低く設定変更された後の判定閾値ということもできる。検出範囲の判定条件についても、判定閾値と同様に、ポンプシステム５０が適用される設備に応じてその条件を適宜設定できる。例えば、電流センサ５４の測定値が、所定時間内に、判定閾値を超えた上下の振れが所定回数に達した場合は、キャビテーションが解消していないと判定するように条件を設定できる。あるいは、電流センサ５４の測定値が、所定時間内に検出範囲を複数回超えた場合に、キャビテーションが解消していないと判定するようにしてもよいし、検出範囲を１回でも超えた場合にキャビテーションが解消していないと判定するように設定することもできる。
【００３６】
下限周波数は、ボイラ１０にドレンを送り込むために最低限必要な周波数である。制御部９１は、この下限周波数を下回らないように、上述の設定周波数を徐々に低くする制御を行う。下限周波数は、ボイラシステム１の装置構成に基づいて設定される。下限周波数は、使用するポンプの機種・容量等に基づいて適宜設定される。例えば、通常時の設定周波数が６０Ｈｚに設定されている場合、下限周波数が５０Ｈｚに設定される。なお、この例では、下限周波数を５０Ｈｚに設定しているが、下限周波数の値を５０Ｈｚよりも更に低くすることもできる。このように、設定周波数と下限周波数の間の周波数の調整範囲は、ポンプ５１が使用される状況等に応じて、その範囲を狭く設定したり、広く設定したりすることができる。即ち、設定周波数及び下限周波数は、適宜変更可能である。
【００３７】
警告周波数は、キャビテーションを解消するための制御において、キャビテーションが発生していることをボイラシステム１の使用者に報知するトリガとなる周波数である。制御部９１は、上述の設定周波数を徐々に低くする制御において、警告周波数を下回った場合、後述する表示部９３によって、キャビテーションが発生したことを使用者に報知する。なお、本実施形態では、警告周波数は、下限周波数と同じ値に設定されており、下限周波数になった時点でキャビテーションの発生を使用者に報知するようになっている。
【００３８】
また、警告周波数は、その数値を適宜変更可能であり、下限周波数よりも高い周波数に設定し、キャビテーション発生と同時に使用者に報知する設定とすることもできる。また、キャビテーション検出前の当初の設定周波数と下限周波数との中間に警告周波数を設定し、ある程度周波数が下がった段階でキャビテーションの発生を報知する設定とすることもできる。
【００３９】
表示部９３について説明する。表示部９３は、ボイラ１０の稼動状況等を画像表示する表示パネル等によって構成される。本実施形態の表示部９３は、ポンプ５１で生じるキャビテーションに関する情報を使用者に伝達する報知部として機能する。表示部９３によるキャビテーションの発生の報知は、画像表示、スピーカ機能による音声、画像表示及び音声の組合せ等、適宜の方式を採用できる。
【００４０】
ボイラシステム１の主要な構成は、以上の通りである。次に、キャビテーションの検出後、設定周波数を変更する制御の流れについて説明する。図２は、キャビテーションの検出及び設定周波数を低下させる制御の流れを示すフローチャートである。
【００４１】
ボイラ１０の要求に応じて給水制御が開始されると、キャビテーションの検出処理が開始される。図２に示すように、制御部９１は、電流センサ５４の測定値をリアルタイム（又は所定の間隔）で取得し、判定閾値の範囲内にあるか否かを判定する（Ｓ１０１）。このＳ１０１の処理では、上述の通り、判定閾値を上下に超える電流値の振れを検出した場合や、判定閾値を複数回超えた場合等、予め設定された条件に基づいて判定閾値を超えたか否かが判定される。
【００４２】
Ｓ１０１の処理で判定閾値の範囲外と判定された場合、制御部９１は、設定周波数を現状よりも低い周波数に変更する（Ｓ１０２）。本実施形態では、所定の割合で周波数を低下させる。次に、制御部９１は、Ｓ１０２の処理で低い周波数に変更された設定周波数が、下限周波数を下回ったか否かを判定する（Ｓ１０３）。
【００４３】
Ｓ１０３の処理で設定周波数が下限周波数を下回っていなかった場合、制御部９１は、設定周波数が低い周波数に変更された（Ｓ１０２）状態で、電流センサ５４の測定値が検出範囲（所定範囲）に収束しているか否かを判定する（Ｓ１０４）。上述の通り、検出範囲は、キャビテーションが解消されたか否かを判断する基準である。電流センサ５４の測定値が検出範囲に収まったと判定されると、周波数を低くする制御を終了する。Ｓ１０４の処理において、電流センサ５４の測定値が検出範囲にないと判断された場合、設定周波数を更に低くするため、Ｓ１０２の処理に戻る。なお、Ｓ１０４の処理において、電流センサ５４の検出値が検出範囲にある否かの判定は、上述のように、予め設定された条件に基づいて行われる。
【００４４】
Ｓ１０３の処理で設定周波数が下限周波数を下回ると判定された場合、制御部９１は、設定周波数を下限周波数に変更する（Ｓ１０５）。本実施形態では、下限周波数と警告周波数が同じ値に設定されているので、下限周波数への変更とともに、キャビテーションの発生を表示部９３によって報知する（Ｓ１０６）。
【００４５】
本実施形態のポンプシステム５０は、電流センサ５４の電流値を監視し、電流値の振れが検出されなくなるまで又は下限周波数になるまで設定周波数を徐々に下げる制御を行う。これによって、ストレーナ２２の目詰まり等を原因とするポンプ５１のキャビテーションを確実に検出するとともに、当該キャビテーションが発生する状態が自動的に解消される。このように、本実施形態のポンプシステム５０をボイラシステム１に適用することによって、キャビテーションによってポンプ５１が故障したり、給水不良が生じたりする事態を確実に防止でき、ボイラ１０の安定的な稼動及び故障防止によるメンテナンスコストの低下を実現できるのである。
【００４６】
以上説明した本実施形態のポンプシステム５０によれば、以下のような効果を奏する。
本実施形態のポンプシステム５０は、ポンプ５１と、ポンプ５１に駆動力を伝達し、周波数によって回転数が調節される駆動モータ５２と、駆動モータ５２の電流を検出する電流センサ５４と、駆動モータ５２を所定の設定周波数で制御可能な制御部９１と、を備える。制御部９１は、設定周波数で制御される駆動モータ５２の電流を測定した電流センサ５４の測定値を監視し、キャビテーションが生じていない定常状態の電流値に基づいて設定される閾値を超えた電流の振れを検出すると、設定周波数よりも低い周波数で駆動モータ５２の制御を行う。
【００４７】
これにより、キャビテーション発生時の電流値の振れを利用してキャビテーションの発生を正確に検出することができる。また、キャビテーションの検出後は、制御部９１の周波数制御によって圧力損失を低下させてキャビテーションが解消される。従って、キャビテーションの発生を原因とするポンプ５１の駆動不良を確実に防止することができる。
【００４８】
制御部９１は、判定閾値を超える電流の振れを検出した場合は、予め設定される検出範囲（所定範囲）に電流の振れが収束することを検出するまで、駆動モータ５２の周波数を設定周波数から徐々に低下させていく制御を行う。
【００４９】
これにより、キャビテーションが解消するまで周波数を低下させていくことになるので、キャビテーションが発生する状態を確実に解消することができる。
【００５０】
制御部９１は、判定閾値を超える電流の振れを検出した場合は、予め設定される下限周波数を下回ることがないように周波数を低下させる。
【００５１】
これにより、ポンプシステム５０が適用される設備（ボイラシステム１）の稼動が担保される周波数として下限周波数を設定しておくことによって、制御部９１による設定周波数を低下させる制御によって給水不良等の不具合が生じる事態を確実に防止できる。
【００５２】
ポンプシステム５０は、キャビテーション情報を報知する表示部９３を更に備える。制御部９１は、判定閾値を超える電流の振れを検出した場合において、予め設定される警告周波数まで周波数が低下すると表示部９３を作動させてキャビテーションの発生を報知する。
【００５３】
これにより、キャビテーションの発生が報知されるので、使用者はキャビテーションが発生した原因を早期に解決することができる。例えば、本実施形態のボイラシステム１において、キャビテーションの発生を知ったユーザが、ストレーナ２２の異物を取り除くことによって、キャビテーションの原因が取り除かれ、ボイラシステム１の安定的な稼動が実現される。
【００５４】
以上、本発明のポンプシステムの好ましい一実施形態について説明したが、本発明は、上述の実施形態に制限されるものではなく、適宜変更が可能である。上記実施形態では、判定閾値と検出範囲は、別の情報として記憶部９２に記憶される構成であるが、この構成に限定されない。例えば、判定閾値と検出範囲を同じデータとして取扱うこともできる。より具体的には、キャビテーション検出後に設定周波数が変更されるたびに、データテーブルを参照（又は所定の数式によって算出）し、現在設定されている周波数に基づく判定閾値を検出範囲として用いることもできる。
【００５５】
上記実施形態では、キャビテーション検出後、設定周波数を徐々に低下させるように制御されているが、この構成に限定されない。キャビテーションを検出すると設定周波数を下限周波数まで一気に下げる構成としてもよい。
【００５６】
上記実施形態では、表示パネル等により構成される表示部によってキャビテーションに関する情報が報知される構成であるが、ブザー等によってキャビテーションに関する情報を報知する構成としてもよい。また、使用者にキャビテーションを報知するタイミングは、設定周波数が下回る直前に行ってもよい。このように、キャビテーション情報を使用者に通知する構成やタイミングは、事情に応じて適宜変更することができる。
【００５７】
上記実施形態では、本発明のポンプシステムが適用される例として、クローズド方式のボイラシステム１について説明したが、この構成に限定されるわけではない。また、上記実施形態では、複数台のボイラを備えるボイラシステムに本発明を適用する例を説明したが、ボイラの台数が１台のボイラシステムにも本発明を適用することができる。流体を送る必要のある種々のシステムに本発明のポンプシステムを適用することができる。
【符号の説明】
【００５８】
５０  ポンプシステム
５１  駆動モータ
５４  電流センサ
９１  制御部
９３  表示部（報知部）
【図１】
2016183609.tif 000003
【図２】
2016183609.tif 000004